(57)【要約】      （修正有）【課題】通信プラグの差込み方向とコネクタのジャンパーピンの方向を一致させることにより、プリント基板と垂直の方向に、通信プラグをコネクタに差し込んで、コネクタがプリント基板に占める面積を小さくすると同時に、回路分布のフレキシブル性を高めるコネクタを提供する。【解決手段】コネクタ２はプリント基板Ｂに接続して、ハウジング２１及びベース２２を備える。ハウジング２１は、ソケットＯ及び収納部Ｃを有する。ベース２２は、収納部Ｃに固定され、さらに、ベース２２は、複数の信号端子２２３及び複数のジャンパーピン２２４を有して、同方向に配列される。このうち、通信プラグがソケットＯに差し込まれた時、通信プラグの差込み方向はプリント基板Ｂと垂直である。【選択図】図２
2009158454.tif 000002
【特許請求の範囲】
【請求項１】
プリント基板に接続されて、ソケット及び収納部を有するハウジングと、
前記収納部内に固定され、さらに、複数の信号端子及び複数のジャンパーピンを有して、同方向に配列され、
通信プラグが前記ソケットに差し込まれた時、前記通信プラグの差込み方向は前記プリント基板と垂直であるベースを備えることを特徴とする
コネクタ。
【請求項２】
前記ハウジングはさらに前記収納部内縁に設置される少なくとも１個の第一導入部及び少なくとも１個の第一固定部を備え、
前記ベースはさらに少なくとも１個の第二導入部及び少なくとも１個の第二固定部を有して、
それぞれ前記第一導入部及び前記第一固定部に対応して、前記信号本体に設置されることを特徴とする
請求項１に記載のコネクタ。
【請求項３】
前記第一導入部は導入槽またはガイドレールであり、
さらに前記第二導入部は前記第一導入部に対応する導入槽またはガイドレールであり、
前記第一固定部と前記第二固定部はそれぞれ突起ブロック、くぼんだ槽、スナップロック、固定ブロックまたは固定槽の組み合わせであることを特徴とする
請求項２に記載のコネクタ。
【請求項４】
前記ハウジングを覆う金属外ケースをさらに備えることを特徴とする
請求項１に記載のコネクタ。
【請求項５】
第三固定部を有して、
前記金属外ケースは前記第三固定部に対応して設置される第四固定部を有して、
さらに前記第三固定部と前記第四固定部は、それぞれ突起ブロック、くぼんだ槽、スナップロック、固定ブロックまたは固定槽の組み合わせであることを特徴とする
請求項４に記載のコネクタ。
【請求項６】
前記信号端子及び前記ジャンパーピンは、前記第一導入部及び前記第二導入部と同方向または異なる方向に設置されて、前記信号端子は電気接続端子に電気的に接続されることを特徴とする
請求項１に記載のコネクタ。
【請求項７】
前記ハウジングの底部はさらに、少なくとも２個のスナップロックを有して、
前記スナップロックの鍵の設置方向は反対であることを特徴とする
請求項１に記載のコネクタ。
【請求項８】
前記コネクタはＲＪ４５コネクタ、ＲＪ１１コネクタまたはＲＪ１２コネクタであることを特徴とする
請求項１に記載のコネクタ。
【請求項９】
ハウジングと、
前記ハウジング内に設置されて、前記ハウジング内には少なくとも１個の第一導入部及び少なくとも１個の第一固定部を有し、少なくとも１個の第二導入部及び少なくとも１個の第二固定部を有して、それぞれ前記第一導入部及び前記第一固定部に対応するベースとを備えることを特徴とする
コネクタ。
【請求項１０】
前記第一導入部は、導入槽またはガイドレールであり、
さらに前記第二導入部は前記第一導入部に対応するガイドレールまたは導入槽であり、
前記第一固定部と前記第二固定部はそれぞれ突起ブロック、くぼんだ槽、スナップロック、固定ブロックまたは固定槽の組み合わせであることを特徴とする
請求項９に記載のコネクタ。
【請求項１１】
金属外ケースをさらに備え、
前記金属ケースは前記ハウジングを覆い、
前記ハウジングはさらに第三固定部を有し、
前記金属ケースは第四固定部を有して前記第三固定部に対応して設置され、
さらに前記第三固定部と前記第四固定部は、それぞれ突起ブロック、くぼんだ槽、スナップロック、固定ブロックまたは固定槽の組み合わせであることを特徴とする
請求項９に記載のコネクタ。
【発明の詳細な説明】
【技術分野】
【０００１】
本発明はコネクタに関し、特に通信用コネクタに関する。
【背景技術】
【０００２】
電子科学技術の発達及び通信技術の発展に伴い、現在市場に出回っている電子製品の多くは、通信、送受信機能を有する。  
一般的には、通信、送受信は、コネクタ及び通信プラグによって行われる。
【０００３】
図１に示したのは、従来のインターネットデータ送信に用いられるコネクタで、ハウジング１１及び複数の信号端子１２を備える。  
ハウジング１１はソケットＯを有し、これらの信号端子１２はハウジング１１のソケットＯに挿入設置される。  
そして、ソケットＯは、例えば、ＲＪ４５コネクタの通信プラグＰに接続されて、インターネットデータを送信する。
【０００４】
通信プラグＰがコネクタ１に接続される時は、水平方向Ｈに沿って、ハウジング１１のソケットＯに差し込まれ、通信プラグＰとコネクタ１の信号端子１２が電気的に接続されることにより、インターネットデータを送信する。
【発明の開示】
【発明が解決しようとする課題】
【０００５】
しかしながら、コネクタ１が占める底面積が大きいため、従来のコネクタ１がプリント基板に設置される時、そのプリント基板の回路分布面積に与える影響が大きく、プリント基板上の他の回路を設置する際の空間に影響する。
【０００６】
したがって、本発明は、通信プラグの差込み方向とコネクタのジャンパーピンの方向を一致させることにより、プリント基板と垂直の方向に、通信プラグをコネクタに差し込んで、コネクタがプリント基板に占める面積を小さくすると同時に、回路分布のフレキシブル性を高めるコネクタを提供することを課題とする。
【０００７】
上記の課題を解決するため、本発明は、通信プラグの差込み方向とコネクタのジャンパーピンの方向を一致させることで、プリント基板と垂直の方向に、通信プラグをコネクタに差し込んで、コネクタがプリント基板に占める面積を小さくすると同時に、回路分布のフレキシブル性を高めるコネクタを提供することを目的とする。
【課題を解決するための手段】
【０００８】
上記の目的を達成するため、本発明のコネクタはプリント基板に接続して、ハウジング及びベースを備える。  
ハウジングはソケット及び収納部を有する。  
ベースは収納部に固定され、さらに、ベースは複数の信号端子及び複数のジャンパーピンを有して、同方向に配列される。  
このうち、通信プラグがソケットに差し込まれた時、通信プラグの差込み方向はプリント基板と垂直である。
【発明の効果】
【０００９】
このように、本発明のコネクタは、それぞれハウジングの内縁及びベースの外縁に、導入部と固定部が設置されていることにより、信号端子及びジャンパーピンの配列方向を変化させることで、ジャンパーピンと通信プラグの方向を一致させ、さらに、通信プラグの差込み方向とプリント基板を垂直にする。  
従来の技術に比べ、本発明のコネクタは、通信プラグをプリント基板の方向と垂直にコネクタに接続できることで、従来の通信プラグの差込み方向を変えて、コネクタがプリント基板の回路分布面に占める面積を小さくすると同時に、回路分布のフレキシブル性を高める。  
また、プリント基板が電子デバイスにおける設置方向を変化させることが可能なことで、電子デバイスの空間設計における応用性が高くなる。
【発明を実施するための最良の形態】
【００１０】
以下に、図を参照しながら、本発明の好適な実施例におけるコネクタについて説明する。
【００１１】
図２を参照しながら説明する。  
本発明の好適な実施例におけるコネクタ２は、ハウジング２１及びベース２２を備える。  
コネクタ２は、例えば、ＲＪ４５コネクタ、ＲＪ１１コネクタ、ＲＪ１２コネクタ等のインターネット通信プラグのコネクタである。
【００１２】
コネクタ２のハウジング２１は方形のハウジングであり、ソケットＯ及び収納部Ｃを有する。  
ハウジング２１はさらに、収納部Ｃの内縁に設置された、少なくとも１個の第一導入部２１１及び少なくとも１個の第一固定部２１２を備える。  
このうち、第一導入部２１１は、例えば、導入槽またはガイドレールであるが、これには限らない。  
本実施例において、第一導入部２１１は導入槽を例としており、収納部Ｃ内縁に一体成型される。  
第一固定部２１２は、例えば、突起ブロック、くぼんだ槽、スナップロック、固定ブロックまたは固定槽であるが、これには限らない。  
本実施例において、第一固定部２１２はスナップロックを例としており、収納部Ｃ内縁に一体成型され、さらに、第一導入部２１１上方に位置する。  
また、ハウジング２１の底部Ｓ２は、さらに少なくとも１個のスナップロック２１４を有して、コネクタ２をプリント基板に固定する。  
当然、ハウジング２１は、例えば、２個のスナップロックを有し、スナップロックの方向が反対になるよう設計されていることで、ハウジング２１が受ける力を平均化して、固定の際の安定度を高めることもできる。
【００１３】
ベース２２は複数の信号端子２２３、複数のジャンパーピン２２４、少なくとも１個の第二導入部２２１及び少なくとも１個の第二固定部２２２を有する。  
これら信号端子２２３は対応するＲＪ４５通信プラグ、ＲＪ１１通信プラグまたはＲＪ１２通信プラグに電気的に接続される。
【００１４】
第二導入部２２１及び第二固定部２２２は、それぞれ第一導入部２１１及び第一固定部２１２に対応して、ベース２２外縁に設置される。  
このうち、第二導入部２２１は、例えば、導入槽またはガイドレールであるが、これには限らない。  
本実施例において、第二導入部２２１はガイドレールを例としており、第一導入部２１１の導入槽に対応して、ベース２２の外縁に一体成型される（すなわち二つの側辺）。  
第二固定部２２２は、例えば、突起ブロック、くぼんだ槽、スナップロック、固定ブロックまたは固定槽であるが、これには限らない。  
本実施例において、第二固定部２２２は固定槽を例としており、第一固定部２１２のスナップロックに対応して、ベース２２の外縁に一体成型され、さらに、第二導入部２２１上方に位置する。  
また、第一固定部２１２及び第二固定部２２２の設計は、一般のくぼみ槽とスナップロック組み合わせの外、突起ブロックと突起ブロックまたはスナップロックとスナップロックの組み合わせも可能である。
【００１５】
本実施例の信号端子２２３及びジャンパーピン２２４は、第一導入部２１１及び第二導入部２２１と同方向に設置されるのが望ましい。  
当然、第一導入部２１１及び第二導入部２２１がコネクタ２の結合方向と異なることも可能で、これらの信号端子２２３及びジャンパーピン２２４は、第一導入部２１１及び第二導入部２２１と同方向には設置されない。
【００１６】
コネクタ２のハウジング２１とベース２２を組み合わせる時は、第一導入部２１１の挿入槽と第二導入部２２１のガイドレールのスライド移動によって、ハウジング２１とベース２２が正しい位置に納まり、導入された後、第一導入部２１１と第二導入部２２１に設置された、第一固定部２１２スナップロックと第二固定部２２２固定槽がスムーズにはまり込んで組み立てられて、位置の固定及び脱落の防止を可能にする。
【００１７】
図３を参照しながら説明する。  
上述の好適な実施例におけるコネクタ２はさらに、金属外ケース２３を備えて、ハウジング２１の外側を覆う。  
このうち、ハウジング２１は、上述の構造以外に、さらに第三固定部２１３を有して、ハウジング２１の外縁に設置される。  
さらに、金属外ケース２３は、第三固定部２１３に対応する第四固定部２３４を有して、金属外ケース２３の一側辺に設置される。  
第三固定部２１３は、例えば、突起ブロック、くぼんだ槽、スナップロック、固定ブロックまたは固定槽である。  
そして、第四固定部２３４もまた、例えば、突起ブロック、くぼんだ槽、スナップロック、固定ブロックまたは固定槽である。  
第三固定部２１３と第四固定部２３４の設置、組み合わせは、上述の第一固定部２１２と第二固定部２２２の組み合わせと同様であるため、ここでは詳述しない。  
本実施例において、第三固定部２１３は固定ブロックであり、第四固定部２３４は固定槽を例としている。
【００１８】
金属外ケース２３がハウジング２１の外側を覆うと、第四固定部２３４と第三固定部２１３が固定される。  
信号端子２２３は送信の過程において、外部送信ケーブルのノイズの影響を受けやすいため、金属外ケース２３で外側を覆うことはノイズを遮る効果がある。  
さらに、ハウジング２１の底部Ｓ２に、コネクタをプリント基板に固定設置する際の平面度を維持するのに役立つ。
【００１９】
図４を参照しながら説明する。  
コネクタ２のハウジング２１、ベース２２及び金属外ケース２３が組み立てられると、ハウジング２１のスナップロック２１４及びベース２２のジャンパーピン２２４はプリント基板Ｂと垂直になり、それぞれプリント基板Ｂの穴Ｄ１及び穴Ｄに連結されることにより、スナップロック２１４がコネクタ２をプリント基板Ｂに固定され、さらに、これらのジャンパーピン２２４とプリント基板Ｂを電気的に接続させることで、信号の送信を行なう。
【００２０】
コネクタ２とＲＪ４５通信プラグＰが接続されると、通信プラグＰは垂直方向Ｖ（すなわちプリント基板Ｂと垂直）に沿ってコネクタ２に挿入されることで、コネクタ２の信号端子２２３と通信プラグＰの電気接続端子３２３が電気的に接続されて、データの送受信を行なう。
【００２１】
このように、本発明のコネクタは、それぞれハウジングの内縁及びベースの外縁に、導入部と固定部が設置されていることにより、信号端子及びジャンパーピンの配列方向を変化させることで、ジャンパーピンと通信プラグの方向を一致させ、さらに、通信プラグの差込み方向とプリント基板を垂直にする。  
従来の技術に比べ、本発明のコネクタは、通信プラグをプリント基板の方向と垂直にコネクタに接続できることで、従来の通信プラグの差込み方向を変えて、コネクタがプリント基板の回路分布面に占める面積を小さくすると同時に、回路分布のフレキシブル性を高める。  
また、プリント基板が電子デバイスにおける設置方向を変化させることが可能なことで、電子デバイスの空間設計における応用性が高くなる。
【００２２】
以上、本発明の実施例を図面を参照して詳述してきたが、具体的な構成は、これらの実施例に限られるものではなく、本発明の要旨を逸脱しない範囲の設計変更などがあっても、本発明に含まれる。
【図面の簡単な説明】
【００２３】
【図１】従来のコネクタ及びその通信プラグを差し込んだ状態を示した図である。
【図２】本発明の好適な実施例におけるコネクタのハウジング及びベースを示した図である。
【図３】本発明の好適な実施例におけるコネクタのハウジング及び金属外ケースを示した図である。
【図４】本発明の好適な実施例におけるコネクタがプリント基板に設置されて、通信プラグに接続された状態を示した図である。
【符号の説明】
【００２４】
１，２        コネクタ
１１，２１    ハウジング
１２，２２３  信号端子
２１４        スナップロック
２２４        ジャンパーピン
２１１        第一導入部
２１２        第一固定部
２１３        第三固定部
２２          ベース
２２１        第二導入部
２２２        第二固定部
２３          金属外ケース
２３４        第四固定部
３２３        電気接続端子
Ｂ            プリント基板
Ｃ            収納部
Ｄ，Ｄ１      穴
Ｈ            水平方向
Ｏ            ソケット
Ｐ            通信プラグ
Ｓ２          底部
Ｖ            垂直方向
【図１】
2009158454.tif 000003
【図２】
2009158454.tif 000004
【図３】
2009158454.tif 000005
【図４】
2009158454.tif 000006